(57)【要約】【課題】ユーザによる演奏を快適化するための付随的な機能を備えた音楽再生装置を提供する。【解決手段】入力された音声に関する情報に基づいてユーザの体調を判断する体調判断手段８０（ＳＢ４、ＳＢ５、ＳＢ７、ＳＢ８、ＳＢ１０）と、その体調判断手段８０により判断された結果を表示する体調表示手段すなわち画像表示装置１２とを、含むことから、通常時の音程ではうまく歌えない場合、その原因がカラオケ装置１０にあるのかユーザ自身にあるのかが客観的に判断され、そのユーザに余計な不快感を与えずに済む。すなわち、ユーザによる演奏を快適化するための付随的な機能を備えた音楽再生装置を提供することができる。【選択図】  図９
2004226589.tif 000002
【特許請求の範囲】
【請求項１】
選択された所望の演奏曲を出力させると共に、入力された音声を増幅して出力し得る音楽再生装置であって、
該入力された音声に関する情報に基づいて利用者の体調を判断する体調判断手段と、
該体調判断手段により判断された結果を表示する体調表示手段と
を、含むことを特徴とする音楽再生装置。
【請求項２】
前記利用者により過去に前記音楽再生装置に入力された音声に関する情報である標準情報を予め記憶し得る記憶装置を備え、前記体調判断手段は、前記入力された音声に関する情報と該記憶装置に記憶された該標準情報とを比較することにより該音声を発した利用者の体調を判断するものである請求項１の音楽再生装置。
【請求項３】
前記体調判断手段は、前記入力された音声の声量、テンポ、及び音程に基づいて該音声を発した利用者の体調を判断するものである請求項１又は２の音楽再生装置。
【請求項４】
前記体調判断手段は、前記入力された音声に関する情報と前記記憶装置に記憶された前記標準情報とを比較し、１回の演奏における音声の声量、テンポ、及び音程それぞれの最大差分値に基づいて該音声を発した利用者の体調を判断するものである請求項３の音楽再生装置。
【発明の詳細な説明】
【０００１】
【発明の属する技術分野】
本発明は、例えば、カラオケボックスで使用されるカラオケ装置等の音楽再生装置に関し、特に、その付随的な機能に関する。
【０００２】
【従来の技術】
所定の記憶装置に予め記憶された複数の演奏曲から選択された所望の演奏曲の音楽情報を出力させると共に、入力された音声を増幅して出力し得る音楽再生装置が知られている。例えば、カラオケボックス等で使用されるカラオケ装置がそれである。斯かるカラオケ装置によれば、予め記憶装置に記憶された複数のカラオケ演奏曲から選択された所望のカラオケ演奏曲の音楽情報を出力させると共に、そのカラオケ演奏曲の歌詞をその出力に同期して画面に表示させることができ、所望の歌をカラオケ演奏曲の伴奏を伴った状態で楽しむことができる。
【０００３】
近年普及しているカラオケ装置としては、上述のような音楽再生装置としての機能のみならず、様々な付随的な機能を備えたものが提案されている。例えば、特許文献１に記載されたカラオケ装置がそれである。このカラオケ装置は、マイクからの歌唱入力音量を所定の時間間隔でサンプリングして、各サンプリング値を逐次積算してゆく音量積算手段と、その音量積算手段により算出された積算値を所定のアルゴリズムに従って歌唱による身体運動のカロリー消費量に換算する換算手段と、その換算手段により求められたカロリー消費量をユーザに知らせる報知手段とを、備えて構成されており、カラオケ演奏によるカロリー消費量を報知することで、ユーザのダイエットやカロリー管理等に結びつけることができる。
【０００４】
【特許文献１】
特許第３０８８７０１号明細書
【０００５】
【発明が解決しようとする課題】
ところで、一般的なカラオケ装置では、出力されるカラオケ演奏曲の音程を所定のキー設定操作により変更することができる。これはユーザが最適な音程にてカラオケ演奏を楽しめるようにするための機能である。しかし、様々な原因によりユーザの発声音域そのものが通常とは異なる場合、上記キー設定操作により音程を変更できるにせよ、通常時の音程ではうまく歌えない原因がカラオケ装置にあるのかユーザ自身にあるのか判然とせず、余計な不快感を与えることが考えられる。
【０００６】
本発明は、以上の事情を背景として為されたものであり、その目的とするところは、ユーザによる演奏を快適化するための付随的な機能を備えた音楽再生装置を提供することにある。
【０００７】
【課題を解決するための手段】
斯かる目的を達成するために、本発明の要旨とするところは、選択された所望の演奏曲を出力させると共に、入力された音声を増幅して出力し得る音楽再生装置であって、その入力された音声に関する情報に基づいて利用者（ユーザ）の体調を判断する体調判断手段と、その体調判断手段により判断された結果を表示する体調表示手段とを、含むことを特徴とするものである。
【０００８】
【発明の効果】
このようにすれば、入力された音声に関する情報に基づいて利用者の体調を判断する体調判断手段と、その体調判断手段により判断された結果を表示する体調表示手段とを、含むことから、通常時の音程ではうまく歌えない場合、その原因が音楽再生装置にあるのか利用者自身にあるのかが客観的に判断され、その利用者に余計な不快感を与えずに済む。すなわち、利用者による演奏を快適化するための付随的な機能を備えた音楽再生装置を提供することができる。
【０００９】
【発明の他の態様】
ここで、好適には、前記利用者により過去に前記音楽再生装置に入力された音声に関する情報である標準情報を予め記憶し得る記憶装置を備え、前記体調判断手段は、前記入力された音声に関する情報とその記憶装置に記憶されたその標準情報とを比較することによりその音声を発した利用者の体調を判断するものである。このようにすれば、前記入力された音声に関する情報について、例えば体調が正常である際の音声に関する情報である前記標準情報からの差分値をとることで、更に好適に前記利用者の体調を判断できるという利点がある。
【００１０】
また、好適には、前記体調判断手段は、前記入力された音声の声量、テンポ、及び音程に基づいてその音声を発した利用者の体調を判断するものである。このようにすれば、前記利用者の体調を顕著に反映する情報に基づいて、更に好適にその利用者の体調を判断できるという利点がある。
【００１１】
また、好適には、前記体調判断手段は、前記入力された音声に関する情報と前記記憶装置に記憶された前記標準情報とを比較し、１回の演奏における音声の声量、テンポ、及び音程それぞれの最大差分値に基づいてその音声を発した利用者の体調を判断するものである。このようにすれば、前記利用者の体調を顕著に反映する情報に基づいて、更に好適にその利用者の体調を判断できるという利点がある。
【００１２】
【実施例】
以下、本発明の好適な実施例を図面に基づいて詳細に説明する。
【００１３】
図１は、本発明が適用された音楽再生装置の一例であるカラオケ装置１０の構成を示すブロック線図である。この図１に示すように、斯かるカラオケ装置１０は、ＣＲＴ等の画像表示装置１２と、背景映像再生用のディスクプレーヤ１４と、ビデオミキサ１６と、アンプミキサ１８と、スピーカ２０と、音声入力手段としてのマイク２２と、操作パネル２４と、中央演算処理装置であるＣＰＵ２６、ＲＯＭ２８、ＲＡＭ３０、記憶手段としてのハードディスク３２、ターミナルアダプタ３４、ＣＲＴコントローラ３６、上記操作パネル２４からの入力信号を処理する入出力インターフェイス３８、音楽情報を合成して出力するためのシンセサイザ４０、Ａ／Ｄコンバータ４２、及びカードリーダ４４とを、備えて構成されている。
【００１４】
上記中央演算処理装置２６は、上記ＲＯＭ２８に記憶された所定のプログラムに基づいて電子情報を処理・制御する所謂コンピュータであり、ユーザ（カラオケ装置１０の利用者）により所定のカラオケ演奏曲が選曲された場合、上記ハードディスク３２からＲＡＭ３０に選曲されたカラオケ演奏曲の音楽情報及び歌詞情報を読み出したり、カラオケ演奏曲の演奏が進行するのに応じてそのＲＡＭ３０から上記シンセサイザ４０へ音楽情報を送信したり、上記ＣＲＴコントローラ３６へ歌詞情報に基づいて歌詞文字映像を生成して送ったり、選曲時には曲情報に基づいて曲名文字映像をＣＲＴコントローラ３６へ送ったり、上記ディスクプレーヤ１４の制御をする等の基本的な制御を実行する。
【００１５】
前記操作パネル２４は、ユーザが歌いたいカラオケ演奏曲を選択したり、演奏音の音程を調整したり、演奏と歌との音量バランスを調整したり、顧客を識別するために顧客毎に設定された顧客ＩＤを入力したり、カラオケ演奏に付随する各種のモード設定を行ったり、その他、エコー、音量、トーン等の各種調整を行うための操作釦（スイッチ）或いはツマミを備えた入力装置である。また、前記カラオケ装置１０には、前記操作パネル２４の一部機能を遠隔で実行するために、かかる操作パネル２４と同様に入力装置として機能するリモコン４８が備えられている。
【００１６】
前記ディスクプレーヤ１４は、背景映像を記憶したＣＤやＤＶＤを再生するものであり、前記ビデオミキサ１６は、前記ハードディスク３２から読み出された歌詞情報に基づいて前記中央演算処理装置２６において生成され且つ前記ＣＲＴコントローラ３６から出力される歌詞文字映像と、前記ディスクプレーヤ１４から送られるＮＴＳＣ映像とを合成して前記画像表示装置１２に表示させる映像合成装置である。前記ディスクプレーヤー１４から送られるＮＴＳＣ映像は、ユーザが歌詞を参照しながら歌を歌う際に前記画像表示装置１２に表示される背景映像である。
【００１７】
前記シンセサイザ４０は、前記ハードディスク３２から読み出されて送られて来る演奏曲の音楽情報に基づき、楽器の演奏信号等の音楽信号を生成する音源である。生成された音楽信号は、アナログ信号に変換されて前記アンプミキサ１８に送られる。そのアンプミキサ１８では、送られてきた音楽信号と前記マイク２２を介して入力されるユーザの歌声とがミキシングされ、それらの信号が電気的に増幅される。そして、そのミキシングされた音が前記スピーカ２０から出力される。前記Ａ／Ｄコンバータ４２は、後述する体調診断のために、前記マイク２２から入力される音声をデジタル信号に変換し、前記中央演算処理装置２６に供給する。
【００１８】
前記カードリーダ４４は、メモリーカード４６にデータの読み書きを行い得る装置であり、ユーザの音声に関する情報を標準情報としてメモリーカード４６に記憶するものである。この標準情報は、例えば複数回の演奏によるユーザの音声に関する情報を平均することにより、ユーザの体調が正常な際の音声に関する情報に可及的に近づけられたものである。すなわち、前記カードリーダ４４及びメモリーカード４６は、共に用いられることで、ユーザにより過去に前記カラオケ装置１０に入力された音声に基づく標準情報を予め記憶し得る記憶装置として機能する。
【００１９】
図２は、前記リモコン４８の操作部を説明する図である。この図に示すように、斯かるリモコン４８の操作部には、０から９までの１０個の数字釦４８ａ、選曲釦４８ｂ、左右上下の矢印釦４８ｃ、取消釦４８ｄ、及びモード設定釦４８ｅが設けられている。また、操作補助・確認のための表示部４８ｆが設けられている。上記数字釦４８ａは、選曲番号や顧客ＩＤを入力するための釦（スイッチ）であり、その数字釦４８ａが押されると、その数字が上記表示部４８ｆに表示され、上記選曲釦４８ｂが押されることによりその選曲番号や顧客ＩＤが出力されて選曲番号や顧客ＩＤが確定する。左右上下の矢印釦４８ｃは、前記画像表示器１２に選択肢が表示された際、同様に表示されるカーソル等を左右上下に移動させるための釦であり、その矢印釦４８ｃが操作されると、カーソル移動信号が出力されて上記選曲釦４８ｂが押されることにより選択している項目が確定する。また、前記カラオケ装置１０によるカラオケ演奏中に左右の矢印釦４８ｃが操作されると、演奏音の音程を変更するための音程変更信号が出力される。また、上記モード設定釦４８ｅは、カラオケ演奏に付随する各種のモード設定を実行するための釦であり、そのモード設定釦４８ｅが押されると、後述する体調診断モードの設定画面をはじめとする各種モード設定画面が表示される。また、図１に示すように、これらの釦及び表示部に対応する構成が前記操作パネル２４にも設けられており、その操作パネル２４によっても同様の操作が可能とされている。
【００２０】
前記ハードディスク３２には、カラオケ演奏曲の音楽情報、歌詞情報、及び曲名情報等を格納する曲情報データベース及びユーザを識別するための情報としての顧客ＩＤを顧客の氏名、住所、連絡先等と共に格納する顧客ＩＤデータベース等が設けられている。この曲情報データベースの音楽情報は、例えばＭＩＤＩ（Ｍｕｓｉｃａｌ  Ｉｎｓｔｒｕｍｅｎｔ  Ｄｉｇｉｔａｌ  Ｉｎｔｅｒｆａｃｅ）形式で格納され、前記シンセサイザ４０へ供給される。
【００２１】
図３は、複数のカラオケ装置１０と所定の回線を介して接続されるホストサーバ５２の構成を示すブロック線図である。この図３に示すように、斯かるホストサーバ５２は、ＣＲＴ等の画像表示装置５４と、キーボード５６と、プリンタ５８と、中央演算処理装置であるＣＰＵ６０、ＲＯＭ６２、ＲＡＭ６４、ハードディスク６６、ターミナルアダプタ６８、ＣＲＴコントローラ７０、及び上記キーボード５６からの入力信号を処理する入出力インターフェイス７２とを、備えた所謂コンピュータにより構成されている。
【００２２】
図４は、上記ホストサーバ５２から複数台のカラオケ装置１０へ各種データが配信される様子を説明する図である。前記ターミナルアダプタ３４及び６８は、前記中央演算処理装置２６及び６０を公衆電話回線、有線放送用ケーブル、又は光ファイバ等による広域通信網（インターネット）５０に接続するための装置であり、複数のカラオケボックスにそれぞれ備えられた前記カラオケ装置１０は、斯かる広域通信網５０を介して上記ホストサーバ５２に接続されている。そして前記カラオケ装置１０によって常に新しい曲を演奏可能とするために、随時、新曲の曲情報等が上記ホストサーバ５２から斯かる広域通信網５０を介してダウンロードされ、前記ハードディスク３２の各種データベースに格納される。
【００２３】
図５は、前記カラオケ装置１０に備えられた中央演算処理装置２６の体調診断機能の要部を説明する機能ブロック線図である。この図５に示す声量算出手段７４、テンポ算出手段７６、及び音程算出手段７８は、前記マイク２２に入力されたユーザの音声が、前記Ａ／Ｄコンバータ４２によりデジタル信号に変換された音声信号から、その音声の声量Ｖｏ、テンポＴｍ、及び音程Ｔｎをそれぞれ算出する。
【００２４】
体調判断手段８０は、前記声量算出手段７４、テンポ算出手段７６、及び音程算出手段７８により算出された声量Ｖｏ、テンポＴｍ、及び音程Ｔｎに基づいてその音声を発したユーザの体調がどのような状態であるかを判断する。差分値算出手段８２は、この体調判断手段８０に含まれるものであり、前記入力された音声の声量Ｖｏ、テンポＴｍ、及び音程Ｔｎと前記メモリーカード４６に記憶された標準情報すなわちユーザの体調が正常である際の音声の声量Ｖｏ’、テンポＴｍ’、及び音程Ｔｎ’とを比較し、それぞれの差分値を算出する。ここで、演奏曲が異なれば当然にテンポ及び音程も異なるため、声量に関してはそれぞれの絶対値を、テンポ及び音程に関してはそれぞれの相対値すなわち演奏曲のデフォルトのテンポ及び音程からのずれを比較する。この比較動作は、例えば、１０乃至５０ｍｓ毎といった一定周期毎に実行される。
【００２５】
上記体調判断手段８０は、好適には、前記声量算出手段７４、テンポ算出手段７６、及び音程算出手段７８により算出された声量Ｖｏ、テンポＴｍ、及び音程Ｔｎと前記メモリーカード４６に記憶された標準情報すなわちユーザの体調が正常である際の音声の声量Ｖｏ’、テンポＴｍ’、及び音程Ｔｎ’とを比較し、１回の演奏における音声の声量、テンポ、及び音程それぞれの最大差分値に基づいてその音声を発した利用者の体調を判断するものである。以下の説明において、特に言及しない場合、音声の声量、テンポ、及び音程の差分値とは、それぞれの最大差分値を称するものとする。
【００２６】
図６は、入力された音声に関する情報とその音声を入力したユーザの体調との対応関係を例示する図である。上記差分値は、例えばこの図６に示すように、声量、テンポ、及び音程のそれぞれについて、−５乃至＋５の１１段階の整数値で表されるものである。入力された音声の声量Ｖｏは、その音声を入力したユーザの元気度（元気さの度合）を反映するものであり、その入力された音声の声量Ｖｏの標準情報の声量Ｖｏ’からの差分値（＝Ｖｏ−Ｖｏ’：以下、声量の差分値と称する）ΔＶｏが大きいほど元気度は絶好調に近く、小さいほど限界に近いと考えることができる。入力された音声のテンポＴｍは、その音声を入力したユーザの心拍を反映するものであり、その入力された音声のテンポＴｍの標準情報のテンポＴｍ’からの差分値（＝Ｔｍ−Ｔｍ’：以下、テンポの差分値と称する）ΔＴｍが大きいほど心拍は動悸が激しく、小さいほど低調であると考えることができる。入力された音声の音程Ｔｎは、その音声を入力したユーザの咽の調子を反映するものであり、その入力された音声の音程Ｔｎの標準情報の音程Ｔｎ’からの差分値（＝Ｔｎ−Ｔｎ’：以下、音程の差分値と称する）ΔＴｎが大きいほど咽の調子は爽快であり、小さいほど不調（炎症中等）であると考えることができる。
【００２７】
図７は、入力された音声に関する情報とその情報から判断されるその音声を入力したユーザの体調を表す診断結果を例示する図である。この図７は、上記テンポの差分値ΔＴｎが±０である場合の診断結果を示しており、上記声量の差分値ΔＶｏ及び上記音程の差分値ΔＴｎが共に−１以下である場合には、「咽つぶれるよ！！」という診断結果が、上記声量の差分値ΔＶｏが±０であり且つ上記音程ΔＴｎの差分値が−１以下である場合には、「うがいしてね」という診断結果が、上記声量の差分値ΔＶｏが＋１以上であり且つ上記音程の差分値ΔＴｎが−１以下である場合には、「今日は体調完璧です！  けど無理しないでね！」という診断結果が、上記声量の差分値ΔＶｏが−１以下であり且つ上記音程の差分値ΔＴｎが±０である場合には、「ご飯ちゃんと食べてる？」という診断結果が、上記声量の差分値ΔＶｏ及び上記音程の差分値ΔＴｎが共に±０である場合には、「正常だ！」という診断結果が、上記声量の差分値ΔＶｏが＋１以上であり且つ上記音程の差分値ΔＴｎが±０である場合には、「元気一杯！！」という診断結果が、上記声量の差分値ΔＶｏが−１以下であり且つ上記音程の差分値ΔＴｎが＋１以上である場合には、「熱があるんじゃない？」という診断結果が、上記声量の差分値ΔＶｏが±０であり且つ上記音程の差分値ΔＴｎが＋１以上である場合には、「声変わり？」という診断結果が、上記声量の差分値ΔＶｏ及び上記音程の差分値ΔＴｎが共に＋１以上である場合には、「飲み過ぎ！  飲み過ぎ！」という診断結果が与えられる。なお、詳しい説明を省略するが、上記テンポの差分値ΔＴｍが−５乃至＋５のそれぞれについて、上記声量の差分値ΔＶｏ及び上記音程の差分値ΔＴｎに応じた診断結果が設定されている。
【００２８】
以上のように、上記声量の差分値ΔＶｏ、テンポの差分値ΔＴｍ、及び音程の差分値ΔＴｎに応じて一義的に与えられたユーザの体調を表す診断結果は、図５に示すように、前記ＣＲＴコントローラ３６及びビデオミキサ１６を介して前記画像表示装置１２に表示される。すなわち、前記画像表示装置１２は、前記体調判断手段８０により判断された結果を表示する体調表示手段として機能する。
【００２９】
図８は、前記中央演算処理装置２６によるカラオケ演奏制御を説明するフローチャートであり、図９は、体調診断制御を説明するフローチャートである。斯かる制御は何れも所定の周期で繰り返し実行されるものである。以下、これら図８及び図９を用いて前記中央演算処理装置２８の制御作動を説明する。
【００３０】
先ず、図８に示すステップ（以下、ステップを省略する）ＳＡ１において、選曲キーが押されたか否かが判断される。このＳＡ１の判断が否定される場合には、ＳＡ１２において、カラオケ演奏が終了したか否かが判断されるが、ＳＡ１の判断が肯定される場合には、ＳＡ２において、入力された選曲番号が予約曲として前記ＲＡＭ３０に記憶された後、ＳＡ３において、カラオケ演奏中であるか否かが判断される。
【００３１】
ＳＡ３の判断が否定される場合、すなわちカラオケ演奏中ではないと判断される場合には、ＳＡ４において、体調診断モードが選択されているか否かが判断されるが、ＳＡ３の判断が肯定される場合、すなわちカラオケ演奏中であると判断される場合には、ＳＡ１６において、前記カラオケ装置１０の利用時間（カラオケ演奏時間）終了であるか否かが判断される。
【００３２】
ＳＡ４の判断が否定される場合、すなわち体調診断モードが選択されていないと判断される場合には、ＳＡ５において、前記ＲＡＭ３０に記憶されている演奏曲の演奏処理が実行された後、ＳＡ１６において、カラオケ利用時間終了であるか否かが判断されるが、ＳＡ４の判断が肯定される場合、すなわち体調診断モードが選択されていると判断される場合には、ＳＡ６において、前記画像表示装置１２に例えば図１０に示すような顧客ＩＤの入力を要請するメッセージが表示された後、ＳＡ７において、カラオケ演奏が開始されたか否かが判断される。
【００３３】
ＳＡ７の判断が否定される場合、すなわちカラオケ演奏が開始されていないと判断される場合には、ＳＡ８において、顧客ＩＤの入力を中止するか否かが判断されるが、ＳＡ７の判断が肯定される場合、すなわちカラオケ演奏が開始されたと判断される場合には、ＳＡ９において、前記メモリーカード４６が前記カードリーダ４４にセットされているか否かが判断される。
【００３４】
ＳＡ８の判断が肯定される場合、すなわち顧客ＩＤの入力が中止されたと判断される場合には、前述したＳＡ５において、前記ＲＡＭ３０に記憶されている演奏曲の演奏処理が実行された後、ＳＡ１６において、カラオケ利用時間終了であるか否かが判断されるが、ＳＡ８の判断が否定される場合、すなわち顧客ＩＤの入力が中止されていないと判断される場合には、前述したＳＡ６以下が再度実行される。
【００３５】
ＳＡ９の判断が否定される場合、すなわち前記メモリーカード４６が前記カードリーダ４４にセットされていないと判断された場合には、ＳＡ１０において、前記画像表示装置１２にメモリーカードをセットするように要請するメッセージが表示された後、ＳＡ９の判断が再度実行されるが、ＳＡ９の判断が肯定される場合、すなわち前記メモリーカード４６が前記カードリーダ４４にセットされていると判断された場合には、ＳＡ１１において、前記ＳＡ６にて入力された顧客ＩＤ及び選曲番号に基づいて、前記メモリーカード４６から標準情報（診断パラメータ）が読み出された後、図９に示す体調診断制御が実行される。
【００３６】
ＳＡ１２の判断が否定される場合、すなわちカラオケ演奏が終了していないと判断される場合には、ＳＡ１６において、カラオケ利用時間終了であるか否かが判断されるが、ＳＡ１２の判断が肯定される場合、すなわちカラオケ演奏が終了したと判断される場合には、ＳＡ１３において、体調診断モードが選択されているか否かが判断される。
【００３７】
ＳＡ１３の判断が肯定される場合、すなわち体調診断モードが選択されていると判断される場合には、ＳＡ１４において、前記画像表示装置１２に図９に示す体調診断制御によって与えられる例えば図１１に示すような診断結果が表示されると共に、顧客ＩＤ、診断の対象とされた演奏曲の選曲番号、及び図９に示す体調診断制御によって作成される新たな診断パラメータが前記メモリーカード４６に記憶された後、ＳＡ１５において、前記ＲＡＭ３０に予約曲が記憶されているか否かが判断されるが、ＳＡ１３の判断が否定される場合、すなわち体調診断モードが選択されていないと判断される場合には、ＳＡ１５において、前記ＲＡＭ３０に予約曲が記憶されているか否かが判断される。
【００３８】
ＳＡ１５の判断が肯定される場合、すなわち前記ＲＡＭ３０に予約曲が記憶されていると判断される場合には、前述したＳＡ４以下が再度実行されるが、ＳＡ１５の判断が否定される場合、すなわち前記ＲＡＭ３０に予約曲が記憶されていないと判断される場合には、ＳＡ１６において、カラオケ利用時間終了であるか否かが判断される。
【００３９】
ＳＡ１６の判断が肯定される場合、すなわち前記カラオケ装置１０の利用時間終了であると判断される場合には、それをもって本ルーチンが終了させられるが、ＳＡ１６の判断が否定される場合、すなわち前記カラオケ装置１０の利用時間終了ではないと判断される場合には、前記ＳＡ１以下が再度実行される。
【００４０】
体調診断制御サブルーチンでは、先ず、図９に示すＳＢ１において、前記ＲＡＭ３０に記憶された予約曲の演奏が実行された後、前記声量算出手段７６、テンポ算出手段７８、及び音程算出手段７８に対応するＳＢ２において、入力された音声の声量Ｖｏ、テンポＴｍ、及び音程Ｔｎが演奏を通じて例えば１０乃至１００ｍｓ毎に算出され、その結果が前記ＲＡＭ３０に逐次記憶される。
【００４１】
次に、ＳＢ３において、前記カードリーダ４４にセットされた前記メモリーカード４６に標準情報（診断パラメータ）が記憶されているか否かが判断される。この標準情報は、その演奏を行っているユーザの過去の演奏結果に基づくものであるので、初めて本実施例の体調診断を実行する際にはそのメモリーカード４６には何ら記憶されていない。
【００４２】
ＳＢ３の判断が肯定される場合、すなわち本実施例の体調診断を実行するのが２回目以降である場合には、ＳＢ４において、前記メモリーカード４６から読み出された診断パラメータと前記入力された音声とが例えば１０乃至１００ｍｓ毎に比較されると共に、前記差分値算出手段８２に対応するＳＢ５において、前記入力された音声の声量Ｖｏ、テンポＴｍ、及び音程Ｔｎと前記メモリーカード４６に記憶された標準情報すなわちユーザの体調が略正常である際の音声の声量Ｖｏ’、テンポＴｍ’、及び音程Ｔｎ’との差分値が算出される。次に、ＳＢ６において、演奏終了であるか否かが判断される。このＳＢ６の判断が否定される場合には、上述したＳＢ４以下が再度実行されるが、ＳＢ６の判断が肯定される場合には、ＳＢ７において、声量の差分値ΔＶｏ、テンポの差分値ΔＴｍ、及び音程の差分値ΔＴｎに応じて診断結果が決定された後、ＳＢ１１において、入力音声から新たな診断パラメータが作成されて本サブルーチンは終了させられる。
【００４３】
一方、ＳＢ３の判断が否定される場合、すなわち本実施例の体調診断を実行するのが初回である場合には、ＳＢ８において、前記入力された音声の声量Ｖｏと予め定められた声量の基準値とが、テンポＴｍ及び音程Ｔｎと演奏曲のデフォルトのテンポ及び音程とが例えば１０乃至１００ｍｓ毎にそれぞれ比較される。次に、ＳＢ９において、演奏終了であるか否かが判断される。このＳＢ９の判断が否定される場合には、上述したＳＢ８以下が再度実行されるが、ＳＢ９の判断が肯定される場合には、ＳＢ１０において、演奏結果すなわちＳＢ８の比較結果に応じて診断結果が決定された後、ＳＢ１１において、入力音声から診断パラメータが作成されて本サブルーチンは終了させられる。
【００４４】
ＳＢ１１にて作成される標準情報（診断パラメータ）は、例えば過去の演奏における最大差分値の平均を算出することにより新たに作成される。これにより、前記メモリーカード４６に記憶される標準情報は体調診断が実行される毎に平均化され、ユーザの体調が正常である際の音声情報に近づいてゆくのである。以上の制御において、ＳＢ４、ＳＢ５、ＳＢ７、ＳＢ８、及びＳＢ１０が前記体調判断手段に対応する。
【００４５】
このように、本実施例によれば、入力された音声に関する情報に基づいてユーザの体調を判断する体調判断手段８０（ＳＢ４、ＳＢ５、ＳＢ７、ＳＢ８、ＳＢ１０）と、その体調判断手段８０により判断された結果を表示する体調表示手段すなわち前記画像表示装置１２とを、含むことから、通常時の音程ではうまく歌えない場合、その原因が前記カラオケ装置１０にあるのかユーザ自身にあるのかが客観的に判断され、そのユーザに余計な不快感を与えずに済む。すなわち、ユーザによる演奏を快適化するための付随的な機能を備えた音楽再生装置を提供することができる。
【００４６】
また、前記ユーザにより過去に前記カラオケ装置１０に入力された音声に関する情報である標準情報（診断パラメータ）を予め記憶し得る記憶装置すなわち前記カードリーダ４４及びメモリーカード４６を備え、前記体調判断手段８０は、前記入力された音声に関する情報とそのメモリーカード４６に記憶されたその標準情報とを比較することによりその音声を発したユーザの体調を判断するものであるため、前記入力された音声に関する情報について、体調が略正常である際の音声に関する情報である前記標準情報からの差分値をとることで、更に好適に前記ユーザの体調を判断できるという利点がある。
【００４７】
また、前記体調判断手段８０は、前記入力された音声の声量Ｖｏ、テンポＴｍ、及び音程Ｔｎに基づいてその音声を発したユーザの体調を判断するものであるため、前記ユーザの体調を顕著に反映する情報に基づいて、更に好適にそのユーザの体調を判断できるという利点がある。
【００４８】
また、前記体調判断手段８０は、前記入力された音声に関する情報と前記メモリーカード４６に記憶された前記標準情報とを比較し、１回の演奏における音声の声量Ｖｏ、テンポＴｍ、及び音程Ｔｎそれぞれの最大差分値に基づいてその音声を発したユーザの体調を判断するものであるため、前記ユーザの体調を顕著に反映する情報に基づいて、更に好適にそのユーザの体調を判断できるという利点がある。
【００４９】
続いて、本発明の他の実施例を図１２に基づいて説明する。なお、以下の説明に関して、前述の実施例と重複する部分に関しては同一の符号を付してその説明を省略する。
【００５０】
図１２は、前述の図８に対応するものであり、ユーザにより過去に前記カラオケ装置１０に入力された音声に基づく標準情報を予め記憶し得る記憶装置として、前記カードリーダ４４及びメモリーカード４６の代わりに前記ホストサーバ５２のハードディスク６６を用いる際の制御を示すフローチャートである。
【００５１】
斯かる制御では、前述のＳＡ１１に対応するＳＡ１７において、前述のＳＡ６にて入力された顧客ＩＤ及び選曲番号に基づいて、前記ホストサーバ５２のハードディスク６６から標準情報（診断パラメータ）が読み出された後、図９に示す体調診断制御が実行される。また、ＳＡ１４に対応するＳＡ１８において、前記画像表示装置１２に図９に示す体調診断制御によって与えられる例えば図１１に示すような診断結果が表示されると共に、顧客ＩＤ、診断の対象とされた演奏曲の選曲番号、及び図９に示す体調診断制御によって作成される新たな診断パラメータが前記ホストサーバ５２のハードディスク６６に記憶される。
【００５２】
このように、本実施例によれば、ユーザにより過去に前記カラオケ装置１０に入力された音声に基づく標準情報を予め記憶し得る記憶装置として前記ホストサーバ５２のハードディスク６６を用いるものであるため、ユーザに前記メモリーカード４６を携帯する煩わしさを与えずに済むという利点がある。
【００５３】
以上、本発明の好適な実施例を図面に基づいて詳細に説明したが、本発明はこれに限定されるものではなく、更に別の態様においても実施される。
【００５４】
例えば、前述の実施例においては、入力された音声の声量Ｖｏ、テンポＴｍ、及び音程Ｔｎに基づく体調診断制御について説明したが、本発明はこれに限定されるものではなく、例えば、それらのうちの何れか１つ乃至２つ、或いはそれらとは異なる情報に基づいて体調診断を実行するものであっても構わない。
【００５５】
また、前述の実施例では、カラオケボックス等に設置されるカラオケ装置１０について説明したが、例えば、音楽再生機能を備えた携帯式電話機、又は音楽再生機能を備えた一般的なパーソナルコンピュータ等に本発明が適用されても構わない。
【００５６】
また、前述の実施例では、前記カードリーダ４４及びメモリーカード４６、又は前記ホストサーバ５２のハードディスク６６がユーザにより過去に前記カラオケ装置１０に入力された音声に関する情報である標準情報を予め記憶し得る記憶装置として機能していたが、例えば、前記カラオケ装置１０のハードディスク３２が斯かる記憶装置として機能する態様であっても構わない。
【００５７】
その他、一々例示はしないが、本発明はその趣旨を逸脱しない範囲内において種々の変更が加えられて実施されるものである。
【図面の簡単な説明】
【図１】本発明が適用された音楽再生装置の一例であるカラオケ装置の構成を示すブロック線図である。
【図２】図１のカラオケ装置に備えられたリモコンの操作部を説明する図である。
【図３】図１カラオケ装置と所定の回線を介して接続されるホストサーバの構成を示すブロック線図である。
【図４】図３のホストサーバから複数台のカラオケ装置へ各種データが配信される様子を説明する図である。
【図５】図１のカラオケ装置に備えられた中央演算処理装置の体調診断機能の要部を説明する機能ブロック線図である。
【図６】図１のカラオケ装置に入力された音声に関する情報とその音声を入力したユーザの体調との対応関係を例示する図である。
【図７】図１のカラオケ装置に入力された音声に関する情報とその情報から判断されるその音声を入力したユーザの体調を表す診断結果を例示する図である。
【図８】図５の中央演算処理装置によるカラオケ演奏制御を説明するフローチャートである。
【図９】図５の中央演算処理装置による体調診断制御を説明するフローチャートである。
【図１０】図１の画像表示装置に表示される顧客ＩＤの入力を要請するメッセージの一例である。
【図１１】図１の画像表示装置に表示される診断結果の一例である。
【図１２】図５の中央演算処理装置によるカラオケ演奏制御を説明する他のフローチャートである。
【符号の説明】
１０：カラオケ装置（音楽再生装置）
１２：画像表示装置（体調表示手段）
４４：カードリーダ（記憶装置）
４６：メモリーカード（記憶装置）
６６：ハードディスク（記憶装置）
８０：体調判断手段
８２：差分値算出手段
Ｔｍ、Ｔｍ’：テンポ
Ｔｎ、Ｔｎ’：音程
Ｖｏ、Ｖｏ’：声量
ΔＴｍ：テンポの差分値
ΔＴｎ：音程の差分値
ΔＶｏ：声量の差分値
【図１】
2004226589.tif 000003
【図２】
2004226589.tif 000004
【図３】
2004226589.tif 000005
【図４】
2004226589.tif 000006
【図５】
2004226589.tif 000007
【図６】
2004226589.tif 000008
【図７】
2004226589.tif 000009
【図８】
2004226589.tif 000010
【図９】
2004226589.tif 000011
【図１０】
2004226589.tif 000012
【図１１】
2004226589.tif 000013
【図１２】
2004226589.tif 000014